【事件の表示】
　特願２０１１−　１８７９８「設備機器制御システム」拒絶査定不服審判事件〔平成２４年　８月２３日出願公開、特開２０１２−１５９９８５〕について、次のとおり審決する。
【結　論】
　本件審判の請求は、成り立たない。
【理　由】
１　手続の経緯、本願発明
　本願は、平成２３年１月３１日の出願であって、平成２７年４月２２日付けで拒絶査定（発送日：同年４月２８日）がされ、これに対し、平成２７年７月２２日に拒絶査定不服審判が請求されると同時に手続補正がされ、その後当審において平成２８年２月９日付けで拒絶の理由を通知したところ、平成２８年４月１３日に意見書とともに特許請求の範囲及び明細書を補正する手続補正書が提出された。
　　　　　
　そして、本願の請求項１に係る発明は、平成２８年４月１３日付けで補正された特許請求の範囲の請求項１に記載された次のとおりのものと認める。
「火災の発生を検出する複数の火災センサーと、人の存在を検出する複数の人感センサーとを備える設備機器制御システムにおいて、
　前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、前記無人状態が所定時間以上にわたり継続されている状態を長期無人状態とし、前記無人状態が継続されている時間が前記所定時間未満の状態を短期無人状態とし、前記長期無人状態のときの前記火災センサーの検出感度を検出感度ＫＡとし、前記短期無人状態のときの前記火災センサーの検出感度を検出感度ＫＢとし、前記有人状態のときの前記火災センサーの検出感度を検出感度ＫＣとして、
　前記検出感度ＫＡが前記検出感度ＫＢおよび前記検出感度ＫＣよりも高い感度に設定され、
　前記複数の人感センサーの出力に基づいて１つの前記火災センサーの検出機能が制御されること
　を特徴とする設備機器制御システム。」
　　　　　
２　引用文献及びその記載事項
　当審の拒絶の理由に引用され、本願出願前に頒布された刊行物である特開平５−２８２５７７号公報（以下「引用文献」。）には、図面とともに次の事項が記載されている。
　　　　　
（１）　「【０００１】
【産業上の利用分野】本発明は、複数の区画を含む監視範囲に渡って多数配置され、火災現象に基づく物理量に関する情報を検出する火災センサと、それら火災センサが接続され、それら火災センサから受信した情報を火災判別レベルと比較することにより火災判別を行う、火災受信機や中継器等の受信部とを備えた火災報知設備に関するものである。」
　　　　　
（２）　「【００１１】
【実施例】以下、図について本発明の一実施例について説明する。図１は本発明の一実施例による火災報知設備を示すブロック回路図であり、火災受信機１と、該火災受信機１に複数接続されるうちの１つの主中継器２と、が示されており、また、該主中継器２には、通常の中継器３、アナログ式火災センサ（以下、アナログ・センサと略す）４、煙式火災感知器５ａ及び熱式火災感知器５ｂ等の感知器５、地区音響装置６、防火戸の閉鎖装置や排煙ダンパの開放装置等の被制御機器７、等の各種機器が接続されて示されている。さらに、火災受信機１には、例えば各室に１つずつ配置される複数の在室検知器８が接続されて示されている。」
　　　　　
（３）　「【００１４】本実施例では、各室に在室検知器８を１つずつ設けると共に、室をグループに分け、各グループごとに感度切換えを行うようにしているが、それを図８を用いて説明する。図８には、例えば１番の主中継器２に接続される複数のアナログ・センサ４が火災監視を行っている６つの室Ｒ１〜Ｒ６が示されており、各室には、それぞれ在室検知器８１〜８６が設置されている。これら室Ｒ１〜Ｒ６は、Ａ，Ｂ，Ｃ，Ｄの４つのグループに分けられており、このグループ分けは、１つの室を複数のグループに分ける場合もあれば、複数の室で１つのグループとする場合もある。図示の例では、室Ｒ１と室Ｒ４の一部とでＡグループとされており、室Ｒ２と室Ｒ４の一部とでＢグループとされており、室Ｒ３とＲ６とでＣグループとされており、そして室Ｒ５はＤグループとなっている。このようなグループ分けは、例えば、会社を例に取れば、室Ｒ３とＲ６が定時に全員退社してしまうので、同じＣグループに分類し、室Ｒ１と室Ｒ４の一部の領域とは遅くまで残業するのでＡグループに分類されるというような態様で行われる。そして在室検知器によりグループごとに在不在を監視し、在室から不在に、または不在から在室に変化したと判断されたグループに対して感度の切換えを行う。
【００１５】在室検知器８からの在不在を表す信号に基づいて各グループごとの在不在を設定記憶するための記憶領域ＲＡＭ１２の記憶内容の例が図３に示されており、主中継器番号１の場合では、室番号１〜６は図８に示した室Ｒ１〜Ｒ６に対応し、在室検知器番号１〜６は図８に示した在室検知器８１〜８６に対応する。そして各在室検知器が、人（もしくは赤外線を放射するものまたは移動するもの）の存在を検知したことを表す信号を出力した場合には図８に示す在室検知器出力の番号領域に「在」が記憶され、存在を全く検知しない場合は「不在」が記憶される。或るグループに含まれる室に設置された在室検知器がすべて不在を検知した場合のみ該グループは不在、すなわち該グループの領域には人が全く存在しないと判断される。従って、在室検知器出力が図３に示すように室番号１〜６に対してそれぞれ在室、在室、不在、不在、在室、不在の場合には、各グループでの在不在は、図３の下欄に示すように、Ａグループでは在室となり、Ｂグループでは在室となり、Ｃグループでは不在となり、Ｄグループでは在室となる。」
　　　　　
（４）　「【００１８】記憶領域ＲＯＭ２２には、このように各主中継器番号に対応したグループ名、不在室時の火災判別レベルＬＶ、並びに火災判別レベルの変更値ＬＣ等が記憶されている。そして、不在室時には火災判別レベルとしてはＬＶが用いられ、在室時には低感度とすべく火災判別レベルとしてはＬＶ＋ＬＣが用いられる。従って、本明細書では、ＬＶを高感度の火災判別レベルもしくは不在室時の火災判別レベルと称し、（ＬＶ＋ＬＣ）を低感度もしくは在室時の火災判別レベルと称す。　・・・（後略）」
　　　　　
（５）　「【００２２】グループごとの在不在の記憶内容のいずれかに変化があれば（ステップ１１２のＹ)、その旨を主中継器に送出するために記憶領域ＲＡＭ１２の内容を、図４に示すように記憶領域ＲＡＭ１３に移しておく。そして在室から不在への変化か、もしくは不在から在室への変化かを判断し、不在から在室への変化の場合には（ステップ１１４のＮ)、記憶領域ＲＡＭ１３内の当該１番主中継器のための領域に記憶されているグループ名と在不在信号とをすべて該１番主中継器に送出する（ステップ１２０)。
【００２３】在室から不在への変化の場合には（ステップ１１４のＹ)、人が立ち去った直ぐ後には、当該室にタバコの煙が残留していたり、室温がかなり高かったりすることが多く、従って、例えば数分の遅延を行った後に同じく記憶領域ＲＡＭ１３内の１番主中継器用領域に記憶されているグループ名と在不在信号とをすべて該１番主中継器に送出するようにしている。すなわち、このような遅延を行うために、主中継器ごとに設けられたタイマ群ＴＭ１のうちの当該１番主中継器のためのタイマが起動され（ステップ１１６)、該タイマの起動後に状態情報の受信処理（ステップ１２２）並びに火災監視処理（ステップ１２４）を行ない、そして、次の２番の主中継器に対する同様の処理動作に行く。
【００２４】　・・・（中略）・・・　タイマが起動されてからタイムアップするまでのタイマ時間としては、例えば２〜３分とすることができる。」
　　　　　
（６）　「【００２６】なお、図９のフローチャートでは、不在から在への変化が検知されたときには（ステップ１１４のＮ)、タイマが作動中であっても、即座にステップ１２０でグループ名と在不在信号をすべて当該主中継器に送出するように示している　・・・（後略）」
　　　　　
（７）　「【００２７】さらに、上述の説明では、記憶領域ＲＡＭ１２内の記憶内容に変化が有ったときに当該主中継器用領域の在不在の記憶内容をすべて当該主中継器に送出するようにした場合を説明したが、変化が有ったグループに関する記憶内容だけを送出するようにしても良い。その場合には、グループごとにタイマを設け、ステップ１１２では、変化有りか否かをグループごとに別々に判断し、不在から在室に変化したグループが有った場合には、当該グループ名と該グループの変化した在もしくは不在信号とを当該主中継器に即座に送出し、在室から不在に変化したグループが有った場合には、該グループに対応のタイマを起動し、該グループに対応のタイマがタイムアップしたときに、当該グループ名と該グループの変化した在もしくは不在信号とを当該主中継器に送出するようにすれば良い。」
　　　　　
（８）　「【００３１】次に、図１１及び図１２を用いて主中継器の動作について説明する。　・・・（中略）・・・　１番の主中継器においてｎ番（ｎ＝１〜Ｎ）の端末に対する動作を説明すると、まず、火災受信機１からのポーリング受信信号があれば（ステップ３０８のＹ)、それが、図９のステップ１２０による在不在信号が送出されてきたのか、図１の復旧スイッチＳＷ１が操作されたことによる復旧命令が送出されてきたのか、もしくは図１０のステップ２２２によるセンサの設定変更信号が送出されてきたのか、を判断し、在不在信号が送出されてきたのであれば（ステップ３１０のＹ)、該在不在信号を図７に示すように記憶領域ＲＡＭ２３に記憶する（ステップ３１２)。　・・・（後略）」
　　　　　
（９）　「【００３４】そのため、まず、当該火災センサが設置されている室のグループを該火災センサのアドレスに基づいて記憶領域ＲＡＭ２４の内容から読み取り、読み取られたグループの環境モード、すなわち該グループが在室か不在かを、ステップ３１２で記憶されている記憶領域ＲＡＭ２３の内容から読み取り、該火災センサにおける環境モードが在室か不在かを判別する（ステップ３２４)。
【００３５】該火災センサが設置されているグループが不在の場合には（ステップ３２４のＮ)、火災判別レベルは高感度のものが用いられるべきであり、記憶領域ＲＡＭ２４から不在室時の火災判別レベルＬＶが読み出されてそのまま用いられ、火災センサから読み込んだセンサ・レベルＳＬは該火災判別レベルＬＶと比較され、センサ・レベルＳＬが該火災判別レベルＬＶ以上であれば（ステップ３２８のＹ）火災が発生したものと判別される。
【００３６】また、在室の場合には（ステップ３２４のＹ)、ストーブ等の存在による室温の上昇や、タバコの煙等により誤報が発生し易いと考えられるので、火災判別レベルは低感度にされるべきである。低感度にするため、火災判別レベルの変更値ＬＣが記憶領域ＲＡＭ２４から読み出されて火災判別レベルＬＶに加算され低感度の火災判別レベルすなわち在室時の火災判別レベル（ＬＶ＋ＬＣ）が得られる。センサ・レベルＳＬは、該低感度の火災判別レベル（ＬＶ＋ＬＣ）と比較され、センサ・レベルＳＬが該低感度の火災判別レベル（ＬＶ＋ＬＣ）以上であれば（ステップ３２６のＹ)、火災が発生したものと判別される。」
　　　　　
（１０）　「【００４２】
【発明の効果】以上、本発明によれば、多数の火災センサが設置された火災監視範囲を複数のグループに分類し、火災センサにおける火災判別レベルをグループごとに一斉に切換えるようにしたので、例えば全室のうち最も遅い室の退出を待つことなく、各グループのうちの最も遅い室に合わせるだけで済み、このように火災センサの感度状態を適切に切換えることができるため、多くの空室の感度状態が長時間切り換えられないままに放置されることを回避し、それにもかかわらず、グループごとに切換えを行うので処理に無駄が無く切換える際の処理時間を最小とすることができるという効果がある。」
　　　　　
（１１）　図８を参照すると、各室Ｒ１〜Ｒ６は、それぞれ複数のアナログ式火災センサ４と、それぞれ１つずつ設けられた在室検知器８１〜８６とを備えていることが認められる。
　　　　　
　上記の記載事項及び図面の記載を総合すると、引用文献には、火災報知設備に関して、その実施例として、次の発明（以下「引用発明」という。）が記載されている。
「各室Ｒ１〜Ｒ６にそれぞれ複数のアナログ式火災センサ４と、
　各室Ｒ１〜Ｒ６にそれぞれ１つずつ設けられた在室検知器８１〜８６とを備える、火災報知設備であって、
　前記在室検知器８１〜８６は、人（もしくは赤外線を放射するものまたは移動するもの）の存在を検知したことを表す信号を出力するもので、
　室Ｒ１と室Ｒ４の一部とでＡグループとし、室Ｒ２と室Ｒ４の一部とでＢグループとし、室Ｒ３と室Ｒ６とでＣグループとし、
　或るグループに含まれる室に設置された在室検知器がすべて不在を検知した場合のみ該グループは不在と判断され、該グループが在室から不在への変化の場合には、該グループに対応のタイマを起動し、該グループのタイマ時間がタイムアップしたときに、該グループ名と、在もしくは不在信号を送出し、
　不在から在室に変化した場合には、当該グループ名と、在もしくは不在信号とを送出し、
　送出されてきた在もしくは不在信号を、記憶領域ＲＡＭ２３に記憶し、
　ＲＡＭ２３の内容が不在の場合には、そのグループのアナログ式火災センサ４の火災判別レベルとして高感度のＬＶが用いられ、
　ＲＡＭ２３の内容が在室の場合には、そのグループのアナログ式火災センサ４の火災判別レベルとして低感度のＬＶ＋ＬＣが用いられ、
　火災判別レベルをグループごとに切換えるようにした、
　火災報知設備。」
　　　　　
３　対比
　本願発明と引用発明とを対比する。
　引用発明の「アナログ式火災センサ４」は、本願発明の「火災の発生を検出する」「火災センサー」に相当する。
　以下同様に、「火災報知設備」は、「設備機器制御システム」に、「各室Ｒ１〜Ｒ６」は、「監視対象領域」に、「タイマ時間」は、「所定時間」に、それぞれ相当する。
　　　　　
　引用発明では、「各室Ｒ１〜Ｒ６にそれぞれ複数のアナログ式火災センサ４」を備えているから、引用発明は、本願発明の「火災の発生を検出する複数の火災センサー」に相当する構成を備える。
　　　　　
　引用発明の「在室検知器８１〜８６」は、各室Ｒ１〜Ｒ６の「人（もしくは赤外線を放射するものまたは移動するもの）の存在を検知したことを表す信号を出力するもので」あるから、本願発明の「人の存在を検出する」「人感センサー」に相当する。
　そして、引用発明では、「各室Ｒ１〜Ｒ６にそれぞれ１つずつ設けられた在室検知器８１〜８６とを備える」から、引用発明は、本願発明の「人の存在を検出する複数の人感センサー」に相当する構成を備える。
　また、人の存在を検知するセンサに関する技術常識を勘案すれば、引用発明の「在室検知器８１〜８６」は、「人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態」とするものといえる。
　　　　　
　引用発明において、「或るグループに含まれる室に設置された在室検知器がすべて不在を検知した場合のみ該グループは不在と判断され、該グループが在室から不在への変化の場合には、該グループに対応のタイマを起動し、該グループのタイマ時間がタイムアップしたとき」は、該グループにおいて、無人状態が継続されていることを意味するから、本願発明の「無人状態が所定時間以上にわたり継続されている状態」である「長期無人状態」に相当する。
　また、上記「該グループのタイマ時間がタイムアップ」するまでの間は、該グループにおいて、無人状態が継続されている時間がタイマ時間内であることを意味するから、本願発明の「無人状態が継続されている時間が前記所定時間未満の状態」である「短期無人状態」に相当する。
　また、引用発明の「不在から在室に変化した場合」は、本願発明の「有人状態」に相当する。
　　　　　
　引用発明では、「該グループのタイマ時間がタイムアップしたときに、該グループ名と、在もしくは不在信号を送出し」、「送出されてきた在もしくは不在信号を、記憶領域ＲＡＭ２３に記憶し」、「ＲＡＭ２３の内容が不在の場合には、そのグループのアナログ式火災センサ４の火災判別レベルとして高感度のＬＶが用いられ」るから、この「高感度のＬＶ」は、本願発明の「長期無人状態のときの前記火災センサーの検出感度」である「検出感度ＫＡ」に相当する。
　　　　　
　本願発明では、「検出感度ＫＢおよび検出感度ＫＣを同じ高さの検出感度に設定することもできる。」（段落【０１３２】）としているから、短期無人状態と有人状態とで、同じ検出感度とすることも含むものである。
　引用発明では、「該グループのタイマ時間がタイムアップ」するまでの間（本願発明の「短期無人状態」に相当。）では、不在信号を送出前であるから、記憶領域ＲＡＭ２３には「在室」が記憶されており、また、「不在から在室に変化した場合」（本願発明の「有人状態」に相当。）では、「当該グループ名と、在もしくは不在信号とを送出し」ているから、記憶領域ＲＡＭ２３には「在室」が記憶されている。
　そして、引用発明では、「ＲＡＭ２３の内容が在室の場合には、そのグループのアナログ式火災センサ４の火災判別レベルとして低感度のＬＶ＋ＬＣが用いられ」るから、引用発明の「低感度のＬＶ＋ＬＣ」は、本願発明の「短期無人状態のときの前記火災センサーの検出感度」である「検出感度ＫＢ」に相当するとともに、「有人状態のときの前記火災センサーの検出感度」である「検出感度ＫＣ」にも相当する。
　更に、引用発明では、「高感度のＬＶ」は「低感度のＬＶ＋ＬＣ」よりも高い感度である。
　したがって、引用発明は、本願発明の「無人状態が所定時間以上にわたり継続されている状態を長期無人状態とし、前記無人状態が継続されている時間が前記所定時間未満の状態を短期無人状態とし、前記長期無人状態のときの前記火災センサーの検出感度を検出感度ＫＡとし、前記短期無人状態のときの前記火災センサーの検出感度を検出感度ＫＢとし、前記有人状態のときの前記火災センサーの検出感度を検出感度ＫＣとして、前記検出感度ＫＡが前記検出感度ＫＢおよび前記検出感度ＫＣよりも高い感度に設定」に相当する構成を備える。
　　　　　
　引用発明では、「各室Ｒ１〜Ｒ６にそれぞれ１つずつ設けられた在室検知器８１〜８６とを備え」、「室Ｒ１と室Ｒ４の一部とでＡグループとし、室Ｒ２と室Ｒ４の一部とでＢグループとし、室Ｒ３と室Ｒ６とでＣグループ」であり、「或るグループに含まれる室に設置された在室検知器がすべて不在を検知した場合のみ該グループは不在と判断され」、「該グループのタイマ時間がタイムアップしたときに、該グループ名と、在もしくは不在信号を送出し、不在から在室に変化した場合には、当該グループ名と、在もしくは不在信号とを送出し、送出されてきた在もしくは不在信号を、記憶領域ＲＡＭ２３に記憶し、ＲＡＭ２３の内容が不在の場合には、そのグループのアナログ式火災センサ４の火災判別レベルとして高感度のＬＶが用いられ、ＲＡＭ２３の内容が在室の場合には、そのグループのアナログ式火災センサ４の火災判別レベルとして低感度のＬＶ＋ＬＣが用いられ、火災判別レベルをグループごとに切換える」ようにしているから、
　Ａ〜Ｃグループでは、それぞれ複数の在室検知器の出力に基づいて、グループごとに（すなわち、グループが個別に）、火災判別レベルの感度が、「高感度のＬＶ」または「低感度のＬＶ＋ＬＣ」に、決められているといえる。
　そして、Ａ〜Ｃグループのうちで、いずれか１つのグループに含まれる１つの室に設けられた複数のアナログ式火災センサ４において、更に、そのうちの１つのアナログ式火災センサ４に着目すれば、この１つのアナログ式火災センサ４は、複数の在室検出器の出力に基づいて火災判別レベルの感度が決められている。例えば、グループＣに含まれる室Ｒ３に設けられた８個のアナログ火災センサ４のうちで、いずれか１つアナログ火災センサ４に着目すれば、この１つのアナログ火災センサ４の火災判別レベルの感度は、室Ｒ３の在室検知器８３の出力と、室Ｒ６の在室検知器８６の出力とに基づいて決められている。
　したがって、引用発明は本願発明の「複数の人感センサーの出力に基づいて１つの前記火災センサーの検出機能が制御される」に相当する構成を備える。
　　　　　
　以上のことから、本願発明と引用発明とは次の点で一致する。
「火災の発生を検出する複数の火災センサーと、人の存在を検出する複数の人感センサーとを備える設備機器制御システムにおいて、
　前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、前記無人状態が所定時間以上にわたり継続されている状態を長期無人状態とし、前記無人状態が継続されている時間が前記所定時間未満の状態を短期無人状態とし、前記長期無人状態のときの前記火災センサーの検出感度を検出感度ＫＡとし、前記短期無人状態のときの前記火災センサーの検出感度を検出感度ＫＢとし、前記有人状態のときの前記火災センサーの検出感度を検出感度ＫＣとして、
　前記検出感度ＫＡが前記検出感度ＫＢおよび前記検出感度ＫＣよりも高い感度に設定され、
　前記複数の人感センサーの出力に基づいて１つの前記火災センサーの検出機能が制御される
　設備機器制御システム。」
　　　　　
　そうすると、引用発明は、本願発明の発明特定事項を全て備えている。
　したがって、本願発明は、引用文献に記載された発明である。
　　　　　
５　むすび
　以上のとおり、本願発明（請求項１に係る発明）は、特許法第２９条第１項第３号に掲げる発明に該当し、特許を受けることができないから、本願は拒絶をすべきものである。
　よって、結論のとおり審決する。